【手続補正書】
【提出日】平成30年7月4日(2018.7.4)
【手続補正１】
【補正対象書類名】特許請求の範囲
【補正対象項目名】全文
【補正方法】変更
【補正の内容】
【特許請求の範囲】
【請求項１】
被検体を透過した電磁波により形成される像を撮像装置によって撮影することによって得られたデータを、前記被検体の測定データとして取得する測定データ取得手段と、
前記測定データから、互いに異なる物理量の情報を表す第１画像と第２画像を生成する画像生成手段と、
前記第１画像に基づいて、非等方フィルタのフィルタ特性を決定するフィルタ特性決定手段と、
前記第１画像に基づいて決定されたフィルタ特性を有する前記非等方フィルタを、前記第２画像に対して適用するフィルタリング手段と、を有することを特徴とする画像処理装置。
【請求項２】
前記第１画像は、第１の物理情報に基づく第１の二次元情報を表し、前記第２画像は、第２の物理情報に基づく第２の二次元情報を表すことを特徴とする請求項１に記載の画像処理装置。
【請求項３】
前記フィルタ特性決定手段は、前記第１画像内の位置に応じて前記非等方フィルタの前記フィルタ特性を決定することを特徴とする請求項１又は２に記載の画像処理装置。
【請求項４】
前記フィルタリング手段は、前記第２画像内の位置に応じて定まる、前記非等方フィルタの前記フィルタ特性に基づいて、前記第２画像に対してフィルタリング処理を行うことを特徴とする請求項１〜３のうちいずれか１項に記載の画像処理装置。
【請求項５】
前記フィルタ特性は、前記非等方フィルタの方向を含むことを特徴とする請求項１〜４のうちいずれか１項に記載の画像処理装置。
【請求項６】
前記非等方フィルタは、前記非等方フィルタの方向に沿って画像を平滑化するフィルタであることを特徴とする請求項５に記載の画像処理装置。
【請求項７】
前記フィルタ特性決定手段は、前記第１画像に含まれる構造のエッジ方向と前記非等方フィルタの方向とが直交するように、画像内の位置ごとの前記非等方フィルタのフィルタ特性を決定することを特徴とする請求項５又は６に記載の画像処理装置。
【請求項８】
前記フィルタ特性決定手段は、前記第１画像の画素値の勾配の向きを画像内の位置ごとに計算し、前記勾配の向きと前記非等方フィルタの方向とが平行になるように、画像内の位置ごとの前記非等方フィルタのフィルタ特性を決定することを特徴とする請求項５〜７のうちいずれか１項に記載の画像処理装置。
【請求項９】
前記第１画像は、前記第２画像に比べてＳＮ比が高い画像であることを特徴とする請求項１〜８のうちいずれか１項に記載の画像処理装置。
【請求項１０】
前記撮像装置は、位相イメージング装置であることを特徴とする請求項１〜１０のうちいずれか１項に記載の画像処理装置。
【請求項１１】
前記電磁波は、放射線であることを特徴とする請求項１０に記載の画像処理装置。
【請求項１２】
前記第１画像は、前記被検体による前記電磁波の吸収の情報を表す画像であることを特徴とする請求項１０又は１１に記載の画像処理装置。
【請求項１３】
前記第２画像は、前記被検体による前記電磁波の位相変化の情報を表す画像であることを特徴とする請求項１０〜１２のうちいずれか１項に記載の画像処理装置。
【請求項１４】
被検体を透過した電磁波により形成される像を撮影し、前記被検体の測定データを出力する撮像装置と、
前記撮像装置により得られた前記測定データに対し画像処理を適用する、請求項１〜１３のうちいずれか１項に記載の画像処理装置と、を有することを特徴とする撮像システム。
【請求項１５】
コンピュータが、被検体を透過した電磁波により形成される像を撮像装置によって撮影することによって得られたデータを、前記被検体の測定データとして取得するステップと、
コンピュータが、前記測定データから、互いに異なる物理量の情報を表す第１画像と第２画像を生成するステップと、
コンピュータが、前記第１画像に基づいて、非等方フィルタのフィルタ特性を決定するステップと、
コンピュータが、前記第１画像に基づいて決定されたフィルタ特性を有する前記非等方フィルタを、前記第２画像に対して適用するステップと、を含むことを特徴とする画像処理方法。
【請求項１６】
前記第１画像は、第１の物理情報に基づく第１の二次元情報を表し、前記第２画像は、第２の物理情報に基づく第２の二次元情報を表すことを特徴とする請求項１５に記載の画像処理方法。
【請求項１７】
前記決定するステップは、前記第１画像内の位置に応じて前記非等方フィルタの前記フィルタ特性を決定するように行われることを特徴とする請求項１５又は１６に記載の画像処理方法。
【請求項１８】
前記適用するステップは、前記第２画像内の位置に応じて定まる、前記非等方フィルタの前記フィルタ特性に基づいて、前記第２画像に対してフィルタリング処理を行うように行われることを特徴とする請求項１５〜１７のうちいずれか１項に記載の画像処理方法。
【請求項１９】
被検体を透過した電磁波により形成される像を撮像装置によって撮影することによって
得られたデータを、前記被検体の測定データとして取得するステップと、
前記測定データから、互いに異なる物理量の情報を表す第１画像と第２画像を生成するステップと、
前記第１画像に基づいて、非等方フィルタのフィルタ特性を決定するステップと、
前記第１画像に基づいて決定されたフィルタ特性を有する前記非等方フィルタを、前記第２画像に対して適用するステップと、をコンピュータに実行させることを特徴とするプログラム。
【請求項２０】
前記第１画像は、第１の物理情報に基づく第１の二次元情報を表し、前記第２画像は、第２の物理情報に基づく第２の二次元情報を表すことを特徴とする請求項１９に記載のプログラム。
【請求項２１】
前記決定するステップは、前記第１画像内の位置に応じて前記非等方フィルタの前記フィルタ特性を決定することを特徴とする請求項１９又は２０に記載のプログラム。
【請求項２２】
前記適用するステップは、前記第２画像内の位置に応じて定まる、前記非等方フィルタの前記フィルタ特性に基づいて、前記第２画像に対してフィルタリング処理を行うことを特徴とする請求項１９〜２１のうちいずれか１項に記載のプログラム。
【手続補正２】
【補正対象書類名】明細書
【補正対象項目名】００１４
【補正方法】変更
【補正の内容】
【００１４】
本発明の第一態様は、被検体を透過した電磁波により形成される像を撮像装置によって撮影することによって得られたデータを、前記被検体の測定データとして取得する測定データ取得手段と、前記測定データから、互いに異なる物理量の情報を表す第１画像と第２画像を生成する画像生成手段と、前記第１画像に基づいて、非等方フィルタのフィルタ特性を決定するフィルタ特性決定手段と、前記第１画像に基づいて決定されたフィルタ特性を有する前記非等方フィルタを、前記第２画像に対して適用するフィルタリング手段と、を有することを特徴とする画像処理装置を提供する。
【手続補正３】
【補正対象書類名】明細書
【補正対象項目名】００１６
【補正方法】変更
【補正の内容】
【００１６】
本発明の第三態様は、コンピュータが、被検体を透過した電磁波により形成される像を撮像装置によって撮影することによって得られたデータを、前記被検体の測定データとして取得するステップと、コンピュータが、前記測定データから、互いに異なる物理量の情報を表す第１画像と第２画像を生成するステップと、コンピュータが、前記第１画像に基づいて、非等方フィルタのフィルタ特性を決定するステップと、コンピュータが、前記第１画像に基づいて決定されたフィルタ特性を有する前記非等方フィルタを、前記第２画像に対して適用するステップと、を含むことを特徴とする画像処理方法を提供する。
【手続補正４】
【補正対象書類名】明細書
【補正対象項目名】００１７
【補正方法】変更
【補正の内容】
【００１７】
本発明の第四態様は、被検体を透過した電磁波により形成される像を撮像装置によって撮影することによって得られたデータを、前記被検体の測定データとして取得するステップと、前記測定データから、互いに異なる物理量の情報を表す第１画像と第２画像を生成するステップと、前記第１画像に基づいて、非等方フィルタのフィルタ特性を決定するステップと、前記第１画像に基づいて決定されたフィルタ特性を有する前記非等方フィルタを、前記第２画像に対して適用するステップと、をコンピュータに実行させることを特徴とするプログラムを提供する。